(57)【特許請求の範囲】
【請求項１】
外周にねじ溝を有するシャフトと、前記シャフトに装着される部材と、前記シャフトに、前記部材の軸方向外側から装着されるワッシャと、前記ワッシャの軸方向外側から前記ねじ溝に螺合するように締付けられるナットとを有する部材取付構造体であって、
前記シャフトは、外周の一部に第１凹部を有し、
前記ナットは、外周に少なくとも一つの第２凹部を有し、
前記ワッシャは、内周に、前記シャフトの前記第１凹部に係合する第１凸部を有し、外周に、前記ナット側に折り曲げることにより、前記ナットの第２凹部に係合する形状の第２凸部を複数有し、
前記ワッシャは、前記第１凸部を前記シャフトの前記第１凹部に係合するように前記シャフトに装着され、前記ナットの締付後に、前記ワッシャの前記第２凸部を前記ナット側に折り曲げて前記ナットの第２凹部に係合され、
前記ワッシャの前記第２凸部の前記基端部までの径は、前記ワッシャの内周側の前記第１凸部と前記シャフトの前記第１凹部との想定される隙間と、前記ワッシャの内周と前記シャフトの外周との想定される隙間とのうち少なくとも一方が存在する場合において、前記ワッシャを回転させると、前記シャフトの軸中心から最も近くなる基端部までの距離が、前記ナットの前記座面の半径よりも長くなる長さに決定されており、前記ワッシャの前記第２凸部の基端部の径が、前記ナットの締付時に前記ナットの軸方向内側の座面と前記第２凸部とが接触しない長さとなっている
部材取付構造体。
【請求項２】
前記ワッシャの前記第２凸部の前記基端部までの径は、前記ワッシャの内周側の前記第１凸部と前記シャフトの前記第１凹部との想定される隙間と、前記ワッシャの内周と前記シャフトの外周との想定される隙間とが存在する場合において、前記ワッシャを回転させると、前記シャフトの軸中心から最も近くなる基端部までの距離が、前記ナットの前記座面の半径よりも長くなる長さに決定されている
請求項１に記載の部材取付構造体。
【請求項３】
前記ワッシャの内周側の前記第１凸部と前記シャフトの前記第１凹部との想定される隙間は、前記第１凸部の周方向の幅の想定される範囲の値と、前記第１凹部の周方向の幅の想定される範囲の値との内で、前記シャフトの軸中心から前記基端部までの距離が最も短くなるように作用する値に基づいて特定される
請求項２に記載の部材取付構造体。
【請求項４】
前記ワッシャの内周と前記シャフトの外周との想定される隙間は、前記ワッシャの内径の想定される範囲の値と、前記シャフトの外径の想定される範囲の値との内で、前記シャフトの軸中心から前記基端部までの距離が最も短くなるように作用する値に基づいて特定される
請求項２又は請求項３に記載の部材取付構造体。
【発明の詳細な説明】
【技術分野】
【０００１】
本発明は、シャフトに部材を取り付けた部材取付構造体に関し、特に、部材を取り付けるナットのゆるみを防止する部材取付構造体に関する。
【背景技術】
【０００２】
従来、シャフトにナットにより部材を取り付けることが行われているが、このナットのゆるみを防止する種々の技術が知られている。
【０００３】
ナットのゆるみを防止する技術としては、例えば、シャフトの外周に凹部を形成するとともに、ナットの外周に凹部を形成しておき、内周側にシャフトの外周の凹部と係合する凸部を有するとともに、外周側にナットの外周の凹部と係合するための舌部を有するワッシャ（舌付ワッシャ）を用意し、このワッシャをシャフトに取り付けた後に、ナットをシャフトに螺合し、ワッシャの外周の舌部をナットの凹部と係合するように折り曲げることで、ナットをシャフトに固定する技術が知られている。
【０００４】
また、他の技術としては、特許文献１に記載の技術も知られている。
【先行技術文献】
【特許文献】
【０００５】
【特許文献１】特表２０００−５００５５６号公報
【発明の概要】
【発明が解決しようとする課題】
【０００６】
例えば、舌付ワッシャについては、ワッシャの各部のサイズがＪＩＳ等において規格化されている。
【０００７】
規格化されているサイズの舌付ワッシャを用いて、シャフトにナットを締め付ける際に、場合によっては、舌付ワッシャの内周側の凸部が破断してしまう状況が発生することがあった。
【０００８】
本発明は、上記課題に鑑みなされたものであり、その目的は、ワッシャの内周側の凸部の破断を適切に防止することのできる技術を提供することにある。
【課題を解決するための手段】
【０００９】
本発明は、ナットを締め付ける際に、ナットの座面とワッシャの外周側の舌部とが接触してしまうことがあり、ナットの座面とワッシャの舌部とが接触することにより、ナットとワッシャとの摩擦係数が増加し、ワッシャを回転させる力が増加し、結果としてワッシャの内周側の凸部が破断してしまうことに着目してなされたものである。
【００１０】
上記目的を達成するために、本発明の一観点に係る部材取付構造体は、外周にねじ溝を有するシャフトと、シャフトに装着される部材と、シャフトに、部材の軸方向外側から装着されるワッシャと、ワッシャの軸方向外側からねじ溝に螺合するように締付けられるナットとを有する部材取付構造体であって、シャフトは、外周の一部に第１凹部を有し、ナットは、外周に少なくとも一つの第２凹部を有し、ワッシャは、内周に、シャフトの第１凹部に係合する第１凸部を有し、外周に、ナット側に折り曲げることにより、ナットの第２凹部に係合する形状の第２凸部を複数有し、ワッシャは、第１凸部をシャフトの第１凹部に係合するようにシャフトに装着され、ナットの締付後に、ワッシャの第２凸部をナット側に折り曲げてナットの第２凹部に係合され、ワッシャの第２凸部の基端部の径が、ナットの締付時にナットの軸方向内側の座面と第２凸部とが接触しない長さとなっている。
【００１１】
上記部材取付構造体において、ワッシャの第２凸部の基端部までの径は、ワッシャの内周側の第１凸部とシャフトの第１凹部との想定される隙間と、ワッシャの内周とシャフトの外周との想定される隙間とが存在する場合において、ワッシャを回転させると、シャフトの軸中心から最も近くなる基端部までの距離が、ナットの座面の半径よりも長くなる長さに決定されていてもよい。
【００１２】
また、上記部材取付構造体において、ワッシャの内周側の第１凸部とシャフトの第１凹部との想定される隙間は、第１凸部の周方向の幅の想定される範囲の値と、第１凹部の周方向の幅の想定される範囲の値との内で、シャフトの軸中心から基端部までの距離が最も短くなるように作用する値に基づいて特定されてもよい。
【００１３】
また、上記部材取付構造体において、ワッシャの内周とシャフトの外周との想定される隙間は、ワッシャの内径の想定される範囲の値と、シャフトの外径の想定される範囲の値との内で、シャフトの軸中心から基端部までの距離が最も短くなるように作用する値に基づいて特定されてもよい。
【発明の効果】
【００１４】
本発明によると、ワッシャの内周側の凸部の破断を適切に防止することができる。
【図面の簡単な説明】
【００１５】
【図１】本発明の一実施形態に係る部材取付構造体を含む機械式自動マニュアル変速機の概要を示す。
【図２】本発明の一実施形態に係る部材取付構造体の分解斜視図である。
【図３】本発明の一実施形態に係る部材取付構造体の斜視図である。
【図４】本発明の一実施形態に係る部材取付構造体のナットの構成を示す断面図である。
【図５】図５（ａ）は、本発明の一実施形態に係る部分取付構造体の一部の上面図である。図５（ｂ）は、本発明の一実施形態に係るワッシャの図５（ａ）のＸ−Ｘ線での断面図である。
【発明を実施するための形態】
【００１６】
以下、添付図面に基づいて、本発明の一実施形態に係る部材取付構造体について説明する。同一の部品には同一の符号を付してあり、それらの名称および機能も同じである。したがって、それらについての詳細な説明は繰返さない。
【００１７】
図１は、本発明の一実施形態に係る部材取付構造体を含む機械式自動マニュアル変速機の概要を示す。
【００１８】
機械式自動マニュアル変速機（変速機という。）１は、インプットシャフト１０と、インプットシャフト１０と同軸に配置され、一端がインプットシャフト１０の内周側に相対回転可能に支持されたメインシャフト１１と、メインシャフト１１の出力側にメインシャフト１１と同軸に配置された副変速機６０と、インプットシャフト１０及びメインシャフト１１と平行に配置されたカウンタシャフト１２及びリバースアイドラシャフト１６と、を備えている。
【００１９】
インプットシャフト１０には、インプットメインギヤ１３が一体回転可能に設けられている。メインシャフト１１には、入力側から順に、第１ハブ２１、５速／９速メインギヤＭ５、３速／７速メインギヤＭ３、第２ハブ３１、２速／６速メインギヤＭ２、１速メインギヤＭ１、第３ハブ４１、リバースメインギヤＭＲ、ガイドピース５３、副変速機６０のサンギヤ６１が設けられている。５速／９速メインギヤＭ５、３速／７速メインギヤＭ３、２速／６速メインギヤＭ２、１速メインギヤＭ１、及びリバースメインギヤＭＲは、メインシャフト１１に相対回転可能に設けられ、第１ハブ２１、第２ハブ３１、第３ハブ４１、ガイドピース５３、及びサンギヤ６１はメインシャフト１１に一体回転可能に設けられている。
【００２０】
副変速機６０は、メインシャフト１１の回転をハイ（高速）と、ロー（低速）の２つのレンジの何れかに切り替えてキャリア６３（アウトプットシャフト）に伝達する。副変速機６０は、例えば、遊星歯車機構により構成される。具体的には、副変速機６０は、サンギヤ６１と、サンギヤ６１と噛合するようにサンギヤ６１の周囲に配置された複数のプラネタリギヤ６２と、プラネタリギヤ６２と噛合する内歯が形成されたリングギヤ６４と、複数のプラネタリギヤ６２を回転可能に支持するキャリア６３とを有する。キャリア６３の出力側は、メインシャフト１１と同軸の円柱状形状となっている。リングギヤ６４の出力側は、キャリア６３の円柱状形状の部分を取り囲み、キャリア６３と相対回転可能な円環部６５が形成されている。円環部６５には、第４ハブ６６が一体回転可能に設けられている。
【００２１】
メインシャフト１１の内部には、軸方向に延び、潤滑油を流すための軸方向流路１１ａと、軸方向流路１１ａからメインシャフト１１の外周面に径方向に延び、潤滑油を外周面の開孔（出口）から放出するための１以上の径方向流路１１ｂが形成されている。径方向流路１１ｂは、例えば、５速／９速メインギヤＭ５、３速／７速メインギヤＭ３、２速／６速メインギヤＭ２、１速メインギヤＭ１、及びリバースメインギヤＭＲ、及びガイドピース５３のそれぞれの内周面に対向する位置に設けられている。
【００２２】
カウンタシャフト１２には、入力側から順に、インプットメインギヤ１３と噛合するインプットカウンタギヤ１４、５速／９速メインギヤＭ５と噛合する５速／９速カウンタギヤＣ５、３速／７速メインギヤＭ３と噛合する３速／７速カウンタギヤＣ３、２速／６速メインギヤＭ２と噛合する２速／６速カウンタギヤＣ２、１速メインギヤＭ１と噛合する１速カウンタギヤＣ１、リバースメインギヤＭＲと噛合する後述するアイドラギヤ１７と噛合するリバースカウンタギヤＣＲが設けられている。インプットカウンタギヤ１４、５速／９速カウンタギヤＣ５、３速／７速カウンタギヤＣ３、２速／６速カウンタギヤＣ２、１速カウンタギヤＣ１、及びリバースカウンタギヤＣＲは、カウンタシャフト１２に一体回転可能に設けられている。カウンタシャフト１２の出力側には、カウンタシャフト１２の回転を制動するためのカウンタシャフトブレーキ１５が設けられている。
【００２３】
リバースアイドラシャフト１６には、アイドラギヤ１７が相対回転可能に設けられている。アイドラギヤ１７は、リバースカウンタギヤＣＲと、リバースメインギヤＭＲと噛合している。
【００２４】
第１ハブ２１には、回転不能且つ軸方向に移動可能に第１スリーブ２２が取り付けられている。なお、第１スリーブ２２と、インプットメインギヤ１３及び５速／９速メインギヤＭ５のそれぞれに固定されている図示しないドグギヤとのそれぞれの間にシンクロナイザリングが介装されていてもよい。第１スリーブ２２の外周凹溝には、第１スリーブ２２を軸方向に移動させる図示しないシフトフォークが係合されている。
【００２５】
第１スリーブ２２が図中矢印Ａ方向（前方）に移動してインプットメインギヤ１３のドグギヤとスプライン噛合すると、インプットシャフト１０とメインシャフト１１とが直結されて動力が伝達される。この結果、副変速機６０のレンジがローに設定されている場合には、キャリア６３は、４速相当で回転し、副変速機６０のレンジがハイに設定されている場合には、キャリア６３は、８速相当で回転する。
【００２６】
第１スリーブ２２が図中矢印Ｂ方向(後方)に移動して５速／９速メインギヤＭ５に接続されているドグギヤとスプライン噛合すると、インプットメインギヤ１３、インプットカウンタギヤ１４、５速／９速カウンタギヤＣ５、５速／９速メインギヤＭ５、を介してメインシャフト１１に動力が伝達される。この結果、副変速機６０のレンジがローに設定されている場合には、キャリア６３は、５速相当で回転し、副変速機６０のレンジがハイに設定されている場合には、キャリア６３は、９速相当で回転する。
【００２７】
第２ハブ３１には、回転不能且つ軸方向に移動可能に第２スリーブ３２が取り付けられている。なお、第２スリーブ３２と、３速／７速メインギヤＭ３及び２速／６速メインギヤＭ２のそれぞれに固定されている図示しないドグギヤとのそれぞれの間にシンクロナイザリングが介装されていてもよい。第２スリーブ３２の外周凹溝には、第２スリーブ３２を軸方向に移動させる図示しないシフトフォークが係合されている。
【００２８】
第２スリーブ３２が図中矢印Ａ方向に移動して３速／７速メインギヤＭ３に接続されているドグギヤとスプライン噛合すると、インプットメインギヤ１３、インプットカウンタギヤ１４、３速／７速カウンタギヤＣ３、３速／７速メインギヤＭ３を介して動力がメインシャフト１１に伝達される。この結果、副変速機６０のレンジがローに設定されている場合には、キャリア６３は、３速相当で回転し、副変速機６０のレンジがハイに設定されている場合には、キャリア６３は、７速相当で回転する。
【００２９】
第２スリーブ３２が図中矢印Ｂ方向に移動して２速／６速メインギヤＭ２に接続されているドグギヤとスプライン噛合すると、インプットメインギヤ１３、インプットカウンタギヤ１４、２速／６速カウンタギヤＣ２、２速／６速メインギヤＭ２を介して、メインシャフト１１に動力が伝達される。この結果、副変速機６０のレンジがローに設定されている場合には、キャリア６３は、２速相当で回転し、副変速機６０のレンジがハイに設定されている場合には、キャリア６３は、６速相当で回転する。
【００３０】
第３ハブ４１には、回転不能且つ軸方向に移動可能に第３スリーブ４２が取り付けられている。なお、第３スリーブ４２と、１速メインギヤＭ１及びリバースメインギヤＭＲのそれぞれに固定されている図示しないドグギヤとのそれぞれの間にシンクロナイザリングが介装されていてもよい。第３スリーブ４２の外周凹溝には、第３スリーブ４２を軸方向に移動させる図示しないシフトフォークが係合されている。
【００３１】
第３スリーブ４２が図中矢印Ａ方向に移動して１速メインギヤＭ１に接続されているドグギヤとスプライン噛合すると、インプットメインギヤ１３、インプットカウンタギヤ１４、１速カウンタギヤＣ１、１速メインギヤＭ１を介して動力がメインシャフト１１に伝達される。本実施形態の変速機１では、１速の変速段が選択される場合には、副変速機６０のレンジは、一方のレンジ（例えば、ローのレンジ）に固定的に設定されるようになっているので、キャリア６３は、１速相当で回転する。
【００３２】
第３スリーブ４２が図中矢印Ｂ方向に移動してリバースメインギヤＭＲに接続されているドグギヤとスプライン噛合すると、インプットメインギヤ１３、インプットカウンタギヤ１４、リバースカウンタギヤＣＲ、アイドラギヤ１７、リバースメインギヤＭＲを介して、メインシャフト１１に動力が伝達される。本実施形態の変速機１では、後退（リバース）の変速段が選択される場合には、副変速機６０のレンジは、一方のレンジ（例えば、ローのレンジ）に固定的に設定されるようになっているおり、キャリア６３は、逆回転する。
【００３３】
第４ハブ６６には、回転不能且つ軸方向に移動可能に第４スリーブ６７が取り付けられている。なお、第４スリーブ６７と、ドグプレート７１のドグギヤ及びキャリア６３に固定されているドグギヤとのそれぞれの間にシンクロナイザリングが介装されていてもよい。第４スリーブ６７の外周凹溝には、第４スリーブ６７を軸方向に移動させる図示しないシフトフォークが係合されている。
【００３４】
第４スリーブ６７が図中矢印Ａ方向に移動して、変速機ケース２（例えば、センターケース２ｂ）に固定されているドグプレート７１のドグギヤとスプライン噛合すると、リングギヤ６４が変速機ケース２に固定され、副変速機６０の状態がローのレンジとなる。すなわち、副変速機６０によって、メインシャフト１１が回転すると、キャリア６３は１より大きい減速比で回転する。
【００３５】
一方、第４スリーブ６７が図中矢印Ｂ方向に移動して、キャリア６３に固定されている図示しないドグギヤとスプライン噛合すると、リングギヤ６４と、キャリア６３とが一体回転するように固定されて、副変速機６０の状態がハイのレンジとなる。すなわち、副変速機６０によって、メインシャフト１１とキャリア６３とが直結される。
【００３６】
変速機１においては、基本的には、インプットシャフト１０の入力側端部と、キャリア６３の出力側端部とを除いて、変速機ケース２（フロントケース２ａ、センターケース２ｂ、リアケース２ｃ等）内に収容される。変速機ケース２の内部には、各部を潤滑させるための潤滑油が供給されている。
【００３７】
変速機ケース２の底部近傍には、底部に貯留している潤滑油を吸引するためのオイルパイプ８０が配置されている。オイルパイプ８０は、図示しないオイルポンプに接続されており、オイルパイプ８０を介して吸引された潤滑油は、例えば、メインシャフト１１の軸方向流路１１ａに供給される。
【００３８】
次に、変速機１の部材取付構造体９０について説明する。
【００３９】
図２は、本発明の一実施形態に係る部材取付構造体の分解斜視図である。図３は、本発明の一実施形態に係る部材取付構造体の斜視図である。
【００４０】
部材取付構造体９０は、メインシャフト１１と、ガイドピース５３と、サンギヤ６１と、ワッシャ９１と、ワッシャ９２と、ナット９３とを有する。メインシャフト１１のＢ方向の端部には、Ａ方向側から順に、ガイドピース５３、サンギヤ６１、ワッシャ９１、ワッシャ９２、ナット９３が配置される。
【００４１】
メインシャフト１１のＢ方向端部には、外周にねじ溝１１ｃが形成されているとともに、外周の一部には、凹部（第１凹部）１１ｄが形成されている。
【００４２】
ワッシャ９１は、例えば、円環状の金属部材で形成され、サンギヤ６１の歯部の側面とワッシャ９２との接触を防止する。
【００４３】
ワッシャ９２は、内周側に、メインシャフト１１の凹部１１ｄと係合することにより、ワッシャ９２がメインシャフト１１に対して回転することを防止する回り止め部（第１凸部）９２ａが形成され、外周側に、ナット９３がメインシャフト１１に螺合された後に折り曲げられることにより、ナット９３の後述する凹部９３ｂと係合可能な複数の舌部９２ｂ（第２凸部）が形成されている。本実施形態では、ワッシャ９２の舌部９２ｂの基端部の径が、ナット９３の締付時にナット９３のＡ方向側（軸方向内側）の座面と舌部９２ｂとが接触しない長さとなっている。
【００４４】
ナット９３には、内周にメインシャフト１１のねじ溝１１ｃと螺合するねじ溝９３ａが形成され、外周には、折り曲げられたワッシャ９２の舌部９２ｂと係合するための１以上の凹部（第２凹部）９３ｂが形成されている。本実施形態では、ナット９３には、４つの凹部９３ｂが形成されている。
【００４５】
次に、メインシャフト１１へのガイドピース５３、サンギヤ６１、ワッシャ９１、ワッシャ９２、及びナット９３の取付方法について説明する。
【００４６】
まず、Ｂ方向側から、メインシャフト１１にガイドピース５３を挿入する。次いで、メインシャフト１１のガイドピース５３のＢ方向側(軸方向外側)に、サンギヤ６１をメインシャフト１１とスプライン噛合するように挿入する。次いで、メインシャフト１１のサンギヤ６１のＢ方向側に、ワッシャ９１を挿入する。次いで、メインシャフト１１のワッシャ９１のＢ方向側に、メインシャフト１１の凹部１１ｄと、回り止め部９２ａとが係合するように、ワッシャ９２を挿入する。これにより、ワッシャ９２のメインシャフト１１との相対回転が抑制される。
【００４７】
次いで、メインシャフト１１のワッシャ９２のＢ方向側に、ナット９３をメインシャフト１１に螺合させて締付ける。ここで、本実施形態では、ワッシャ９２の舌部９２ｂの基端部の径が、ナット９３の締付時にナット９３のＡ方向側の座面と舌部９２ｂとが接触しない長さとなっているので、ナット９３の締付時に、ナット９３の座面と舌部９２ｂとの接触による抵抗が増加せず、ワッシャ９２がメインシャフト１１と相対回転することを抑制でき、回り止め部９２ａの破損を適切に防止できる。
【００４８】
その後、ナット９３の４つの凹部９３ｂの何れかと、軸方向の位置が合っているワッシャ９２の舌部９２ｂをナット９３側に折り曲げて、凹部９３ｂと係合させる。これにより、ナット９３がワッシャ９２に対して相対回転不能となり、結果として、ナット９３がメインシャフト１１に対して相対回転不能となり、ナット９３がゆるんでしまうことを防止できる。
【００４９】
次に、ワッシャ９２と、ナット９３との構成について詳細に説明する。
【００５０】
図４は、本発明の一実施形態に係る部材取付構造体のナットの構成を示す断面図である。
【００５１】
ナット９３は、内周側には、ねじ溝９３ａが形成されている。ナット９３のＡ方向側の座面９３ｃの外径（ナット座面外径）は、ナット９３の上面の径よりも短くなっている。
【００５２】
図５（ａ）は、本発明の一実施形態に係る部分取付構造体の一部の上面図である。図５（ｂ）は、本発明の一実施形態に係るワッシャの図５（ａ）のＸ−Ｘ線での断面図である。
【００５３】
ワッシャ９２は、初期状態では、図５（ｂ）に示すように、舌部９２ｂは、舌部９２ｂの基端部９２ｃからＢ方向側に向かって傾斜して形成されている。ここで、ワッシャ９２の基端部９２ｃの外径を基端部径ということとする。
【００５４】
図５（ａ）は、図示する締付方向にナット９３を締付けるために回転させた場合のワッシャ９２の状態をＢ方向側から見た状態を示している。
【００５５】
メインシャフト１１の凹部１１ｄの接線方向の幅は、所定の規格（例えば、ＪＩＳ）における標準値に対して所定の許容範囲（想定範囲）内となるように形成される。また、ワッシャ９２の回り止め部９２ａの内径の接線方向の幅も、所定の規格における標準値に対して所定の許容範囲（想定範囲）内となるように形成されている。メインシャフト１１の凹部１１ｄと、ワッシャ９２の回り止め部９２ａとの間には、予め隙間が存在するように設計されているが、その隙間の実際の幅には、それぞれの標準値の差だけではなく、凹部１１ｄ及び回り止め部９２ａのそれぞれの許容範囲内での標準値との差も影響する。
【００５６】
また、メインシャフト１１の外周の径は、所定の規格における標準値に対して所定の許容範囲（想定範囲）内となるように形成される。また、ワッシャ９２の内周の径は、所定の規格における標準値に対して所定の許容範囲（想定範囲）内となるように形成されている。メインシャフト１１の外周と、ワッシャ９２の内周との間には、予め隙間が存在するように設計されているが、その隙間の実際の幅には、それぞれの標準値の差だけではなく、メインシャフト１１の外周の径及びワッシャ９２の内周の径のそれぞれの許容範囲内での標準値との差も影響する。
【００５７】
ここで、図示する締付方向にナット５３を回転させた場合には、メインシャフト１１の凹部１１ｄと、ワッシャ９２の回り止め部９２ａとの隙間、及び、メインシャフト１１の外周と、ワッシャ９２の内周との隙間との影響を受けて、ワッシャ９２は、図５（ａ）に示すように、メインシャフト１１の中心（軸中心）Ｏから基端部９２ｃまでの距離が場所によって異なるようになる。
【００５８】
ナット９３の座面の位置は、図５（ａ）の座面外周９３ｄに示すように、メインシャフト１１の中心Ｏからの距離が略等しい位置にあるので、ナット９３の座面外周９３ｄと、基端部９２ｃとの間隔が場所によって異なる。
【００５９】
本実施形態においては、メインシャフト１１の凹部１１ｄの幅と、ワッシャ９２の回り止め部９２ａの幅とが許容範囲内に形成されている場合において、メインシャフト１１の凹部１１ｄと、ワッシャ９２の回り止め部９２ａとの想定される間隔と、メインシャフト１１の外周の径と、ワッシャ９２の内周の径とが許容範囲内に形成されている場合において、メインシャフト１１の外周の径と、ワッシャ９２の内周の径との想定される間隔とに基づいて、ワッシャ９２が締付方向に回転した際に、メインシャフト１１の中心Ｏから基端部９２ｃまでの最短距離が、ナット９３の座面外周９３ｄの半径よりも長くなるように、ワッシャ９２の舌部９２ｂの基端部９２ｃの径（基端部径）が決定されている。ここで、ワッシャ９２の舌部９２ｂの基端部９２ｃの径は、例えば、ＪＩＳ規格で決められているナット９３に対応するワッシャの径よりも長くなっている。
【００６０】
ワッシャ９２の舌部９２ｂの基端部９２ｃの径を決定するために用いる、メインシャフト１１の凹部１１ｄの幅と、ワッシャ９２の回り止め部９２ａの幅としては、それぞれの部分の許容範囲内の値であって、メインシャフト１１の中心Ｏから基端部９２ｃまでの距離が最も短くなるように作用する値が用いられる。例えば、メインシャフト１１の凹部１１ｄの幅と、ワッシャ９２の回り止め部９２ａの幅との間隔が最大となる値が用いられる。
【００６１】
また、ワッシャ９２の舌部９２ｂの基端部９２ｃの径を決定するために用いる、メインシャフト１１の外周の径と、ワッシャ９２の内周の径としては、それぞれの部分の許容範囲内の値であって、メインシャフト１１の中心Ｏから基端部９２ｃまでの距離が最も短くなるように作用する値が用いられる。例えば、メインシャフト１１の外周と、ワッシャ９２の内周との隙間が最大となる値が用いられる。
【００６２】
以上説明したように、本実施形態に係る変速機１の部材取付構造体によると、ワッシャ９２が締付方向に回転した際における、メインシャフト１１の中心Ｏから基端部９２ｃまでの最短距離が、ナット９３の座面外周９３ｄの半径よりも長くなるように、ワッシャ９２の舌部９２ｂの基端部９２ｃの径が決定されているので、ナット９３を締め付ける際に、ワッシャ９２が締付方向に回転した場合であっても、ナット９３の座面と、ワッシャ９２の舌部９２ｂとが接触しないことが担保されるので、ワッシャ９２に無理な回転力が加えられることがなく、回り止め部９２ａが破断してしまうことを適切に防止できる。
【００６３】
なお、本発明は、上述の実施形態に限定されるものではなく、本発明の趣旨を逸脱しない範囲で、適宜変形して実施することが可能である。
【００６４】
例えば、上記実施形態では、メインシャフト１１の凹部１１ｄと、ワッシャ９２の回り止め部９２ａとの想定される間隔と、メインシャフト１１の外周と、ワッシャ９２の内周との想定される間隔との両方の間隔を考慮して、ワッシャ９２の舌部９２ｂの基端部９２ｃの径を決定するようにしていたが、上記何れか一方の間隔のみを考慮して、ワッシャ９２の舌部９２ｂの基端部９２ｃの径を決定するようにしてもよい。
【００６５】
また、上記実施形態では、メインシャフト１１にサンギヤ６１を取り付けるようにしていたが、本発明はこれに限られず、取り付ける部材は、任意の部材でよい。
【００６６】
また、上記実施形態では、変速機１に部材取付構造体９０を備えるようにしていたが、本発明はこれに限られず、部材取付構造体は、変速機１以外に備えるようにしてもよい。
【符号の説明】
【００６７】
１  変速機
２  変速機ケース
２ａ  フロントケース
２ｂ  センターケース
２ｃ  リアケース
１０  インプットシャフト
１１  メインシャフト
１１ｄ  凹部
１２  カウンタシャフト
１３  インプットメインギヤ
１４  インプットカウンタギヤ
１６  リバースアイドラシャフト
１７  アイドラギヤ
２１  第１ハブ
２２  第１スリーブ
３１  第２ハブ
３２  第２スリーブ
４１  第３ハブ
４２  第３ハブ
５１  ベアリング
５２  ベアリングリテーナ
５３  ガイドピース
６０  副変速機
６１  サンギヤ
６２  プラネタリギヤ
６３  キャリア
６４  リングギヤ
６６  第４ハブ
６７  第４スリーブ
７１  ドグプレート
９０  部品取付構造体
９１  ワッシャ
９２  ワッシャ
９２ａ  回り止め部
９２ｂ  舌部
９３  ナット
９３ａ  ネジ溝
９３ｂ  凹部
９３ｃ  座面
Ｍ１  １速メインギヤ
Ｍ２  ２速／６速メインギヤ
Ｍ３  ３速／７速メインギヤ
Ｍ５  ５速／９速メインギヤ
ＭＲ  リバースメインギヤ
Ｃ１  １速カウンタギヤ
Ｃ２  ２速／６速カウンタギヤ
Ｃ３  ３速／７速カウンタギヤ
Ｃ５  ５速／９速カウンタギヤ
ＣＲ  リバースカウンタギヤ
【図１】
0006638307.tif 000002
【図２】
0006638307.tif 000003
【図３】
0006638307.tif 000004
【図４】
0006638307.tif 000005
【図５】
0006638307.tif 000006